(57)【要約】【課題】不必要な時に、入力したメモが表示されることによる目障りさを軽減できる地図表示装置を提供する。【解決手段】表示モニタ１６に表示されたアイコン３１をタッチしてメモを入力する施設を選択する。次に、表示モニタ１６の表示画面をタッチして文字や図形などを描いてメモを入力し、その後、メモを表示する時期を設定する。そして、メモを表示する表示時期に選択された施設のアイコン３１が表示モニタ１６に表示されると、アイコン３１から吹き出しでメモ７１が表示される。【選択図】図７
2007156285.tif 000002
【特許請求の範囲】
【請求項１】
地図を表示する表示モニタと、
メモを入力する入力手段と、
施設を選択する施設選択手段と、
前記入力手段によって入力したメモの表示を開始して終了する時期を設定する表示時期設定手段と、
前記表示時期設定手段によって設定した表示時期に、前記表示モニタに表示した地図上に前記施設選択手段によって選択した施設が表示されると、前記入力手段によって入力したメモを表示する表示制御手段とを備えることを特徴とする地図表示装置。
【請求項２】
請求項１に記載の地図表示装置において、
前記表示モニタの表示画面に設けられたタッチパネルを備え、
前記入力手段は、前記タッチパネルに押圧しながら描かれたメモを入力することを特徴とする地図表示装置。
【請求項３】
請求項１に記載の地図表示装置において、
キー入力装置を備え、
前記入力手段は、前記キー入力装置でメモを入力することを特徴とする地図表示装置。
【請求項４】
請求項１乃至３のいずれか１項に記載の地図表示装置において、
前記入力手段によって入力したメモと、前記表示時期設定手段によって設定した表示時期とを、前記施設選択手段によって選択した施設に関連付けて記憶する記憶手段を備え、
前記表示制御手段は、前記記憶手段によって記憶しているメモ、表示時期および施設に基づいて表示することを特徴とする地図表示装置。
【請求項５】
請求項１乃至４のいずれか１項に記載の地図表示装置において、
前記表示制御手段は、前記施設選択手段によって選択した施設を地図上にアイコンとして表示し、前記入力手段によって入力したメモを前記アイコンからの吹き出しに表示することを特徴とする地図表示装置。
【請求項６】
請求項２に記載の地図表示装置において、
前記施設選択手段は、前記表示モニタにアイコンとして表示した施設を押圧することによって選択することを特徴とする地図表示装置。
【請求項７】
請求項１乃至６のいずれか１項に記載の地図表示装置において、
前記施設選択手段によって選択する施設のアイコンを、以前設定した目的地または前記地図表示装置に登録している登録地から選択して表示することを特徴とする地図表示装置。
【請求項８】
メモを入力し、
施設を選択し、
前記入力したメモの表示を開始して終了する時期を設定し、
前記設定した表示時期に、表示モニタに表示した地図上に前記選択した施設が表示されると、前記入力したメモを表示することを特徴とする地図表示方法。
【発明の詳細な説明】
【技術分野】
【０００１】
本発明は、メモを入力して表示することができる地図表示装置および地図表示方法に関する。
【背景技術】
【０００２】
手書き文字で入力したメモを地図上のポイント地点の地図座標と関連付けてメモリに記憶し、ポイント地点の地図座標を含む地図を表示する場合に、地図画面上にメモを表示させるナビゲーション装置が従来技術として知られている（特許文献１）。
【特許文献１】特開２００３−１６６８４３号公報
【発明の開示】
【発明が解決しようとする課題】
【０００３】
メモの中には常に表示させておきたいもののほかに、必要なときに表示させたいものもある。特許文献１に記載されているナビゲーション装置では、必要なときおよび必要でないときに関係なく、ポイント地点を含む地図が表示されるとメモを地図画面上に表示するので、メモが目障りに感じる場合があるという問題点がある。
【課題を解決するための手段】
【０００４】
（１）請求項１の発明の地図表示装置は、地図を表示する表示モニタと、メモを入力する入力手段と、施設を選択する施設選択手段と、入力手段によって入力したメモの表示を開始して終了する時期を設定する表示時期設定手段と、表示時期設定手段によって設定した表示時期に、表示モニタに表示した地図上に施設選択手段によって選択した施設が表示されると、入力手段によって入力したメモを表示する表示制御手段とを備えることを特徴とする。
（２）請求項２の発明は、請求項１に記載の地図表示装置において、表示モニタの表示画面に設けられたタッチパネルを備え、入力手段は、タッチパネルに押圧しながら描かれたメモを入力することを特徴とする。
（３）請求項３の発明は、請求項１に記載の地図表示装置において、キー入力装置を備え、入力手段は、キー入力装置でメモを入力することを特徴とする。
（４）請求項４の発明は、請求項１乃至３のいずれか１項に記載の地図表示装置において、入力手段によって入力したメモと、表示時期設定手段によって設定した表示時期とを、施設選択手段によって選択した施設に関連付けて記憶する記憶手段を備え、表示制御手段は、記憶手段によって記憶しているメモ、表示時期および施設に基づいて表示することを特徴とする。
（５）請求項５の発明は、請求項１乃至４のいずれか１項に記載の地図表示装置において、表示制御手段は、施設選択手段によって選択した施設を地図上にアイコンとして表示し、入力手段によって入力したメモをアイコンからの吹き出しに表示することを特徴とする。
（６）請求項６の発明は、請求項２に記載の地図表示装置において、施設選択手段は、表示モニタにアイコンとして表示した施設を押圧することによって選択することを特徴とする。
（７）請求項７の発明は、請求項１乃至６のいずれか１項に記載の地図表示装置において、施設選択手段によって選択する施設のアイコンを、以前設定した目的地または地図表示装置に登録している登録地から選択して表示することを特徴とする。
（８）請求項８の発明の地図表示方法は、メモを入力し、施設を選択し、入力したメモの表示を開始して終了する時期を設定し、設定した表示時期に、表示モニタに表示した地図上に選択した施設が表示されると、入力したメモを表示することを特徴とする。
【発明の効果】
【０００５】
本発明によれば、入力したメモの表示時期を設定できるため、不必要な時のメモ表示による目障りさを軽減することができる。
【発明を実施するための最良の形態】
【０００６】
本発明の一実施形態によるナビゲーション装置の構成を図１に示す。図１のナビゲーション装置１は、表示画面上に手書きで描かれた文字や図形などを入力する機能を備える。ナビゲーション装置１は、制御回路１１、ＲＯＭ１２、ＲＡＭ１３、現在地検出装置１４、画像メモリ１５、表示モニタ１６、入力装置１７、タッチパネル１８、データ記憶部１１０およびディスクドライブ１１１を有している。
【０００７】
タッチパネル１８は、表示モニタ１６の表面に積層される透明のタッチスイッチであり、表示モニタ１６に表示される画像はタッチパネル１８を通して表示される。タッチパネル１８は、タッチパネル１８上の操作位置に応じた信号をタッチパネルコントロール部１９に送出し、タッチパネルコントロール部１９はタッチパネル１８の押圧位置を算出する。
【０００８】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ１１２に記憶された地図データに基づいて所定の経路探索処理を行うと、その処理結果が推奨経路として表示モニタ１６に表示される。また、制御回路１１にはカレンダ付きタイマ１１ａが内蔵されており、現在の日付や時間を検出することができる。
【０００９】
現在地検出装置１４は車両の現在地を検出する装置であり、たとえば、車両の進行方向を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【００１０】
画像メモリ１５は、表示モニタ１６に表示するための画像データを格納する。この画像データは道路地図描画用データや各種の図形データからなり、それらはディスクドライブ１１１によって読み込まれるＤＶＤ−ＲＯＭ１１２に記憶された地図データに基づいて、適宜生成される。ナビゲーション装置１は、このようにして生成された画像データを用いることによって地図表示など行うことができる。
【００１１】
ディスクドライブ１１１は、装填されたＤＶＤ−ＲＯＭ１１２から、表示モニタ１６へ地図を表示するための地図データを読み出す。地図データは、地図表示用データ、経路探索用データなどを含む。地図表示用データおよび経路探索用データには、地図データに格納されている道路のリンク情報およびノード情報が含まれている。地図表示用データは、広域から詳細まで複数の縮尺の地図データを有し、乗員の要求にしたがって、表示地図の縮尺を変更することができる。なお、ＤＶＤ−ＲＯＭ１１２以外の他の記録メディア、たとえばＣＤ−ＲＯＭやハードディスクなどより地図データを読み出してもよい。
【００１２】
表示モニタ１６は、地図データなどの各種情報に基づいて、自車位置付近の道路地図などの各種情報を画面表示として乗員に提供する。入力装置１７は、乗員が各種コマンドの設定などするための操作キーを有し、操作パネルやリモコンなどによって実現される。乗員は、表示モニタ１６の表示画面の指示に従って入力装置１７を手動で操作することにより、目的地を選択して設定する。
【００１３】
タッチパネル１８は表示モニタ１６のモニタ画面上に設けられた透明パネルであり、表示モニタ１６に表示した表示画面はタッチパネル１８を通して表示される。また、表示モニタ１６の表示画面を押圧するとタッチパネル１８が押圧される。タッチパネル１８は入力装置１７と同様に入力機能を有する。表示モニタ１６に表示された地図画面や各種ボタン、表示メニューなどを指で押圧するとタッチパネル１８が押圧され、タッチパネルコントロール部１９によって押圧位置が算出される。そして、算出された押圧位置は制御回路１１に入力され、目的地を設定したり、各種ボタンや表示メニューに対応する機能を実行させたりする。また、タッチパネル１８に描いた文字や図形など線図をメモとしてナビゲーション装置１に入力することができる。
【００１４】
データ記憶部１１０はメモリやハードディスクなどの書き換え可能な不揮発性記録媒体によって構成され、ナビゲーション装置１の様々な機能に必要なデータなどを記憶する。データ記憶部１１０に記憶された情報は、制御回路１１によって適宜読み出されて利用される。また、データ記憶部１１１は、タッチパネル１８を押圧して描かれた文字や図形など線図を画像データとして記憶する。
【００１５】
目的地が乗員により設定されると、ナビゲーション装置１はＧＰＳセンサ１４ｃにより検出された現在地を出発地として目的地までの経路演算を所定のアルゴリズムに基づいて行う。以下、この経路演算を探索演算と呼ぶ。このようにして求められたルート（以下、推奨経路という）は、表示形態、たとえば表示色などを変えることによって、ほかの道路とは区別して画面表示される。これにより、乗員は地図上の推奨経路を画面上で認識することができる。また、ナビゲーション装置１は、推奨経路に従って車両が走行できるように、表示モニタ１６に表示された道路地図に推奨経路を表示し、乗員に対して画面や音声などによる進行方向指示を行い、車両を経路誘導する。
【００１６】
次に、図２〜６を参照して、本発明の実施形態のナビゲーション装置１におけるメモ入力操作およびメモ表示時期設定操作について説明する。ここで、乗員は、スーパマーケット「ＡＢＣスーパー」が毎週月曜日に安売りをしているとの情報を得たので、この情報を「ＡＢＣスーパー」に関連付けてメモとして入力し、所定時期にこのメモを表示させるものとする。「ＡＢＣスーパー」は、登録地としてナビゲーション装置１に登録されているものとする。
【００１７】
乗員は、不図示の登録地ボタンを押圧すると、図２に示すように道路地図２０に重ねて登録地リスト２１が表示される。そして、登録地リスト２１に表示されている登録地の中から「ＡＢＣスーパー」をタッチして選択する。
【００１８】
「ＡＢＣスーパー」を選択すると、図３に示すように、道路地図２０に「ＡＢＣスーパー」がアイコン３１として表示される。ここで、本発明の実施形態におけるナビゲーション装置１は、登録地のアイコンを押圧することによって、登録地に関連付けてメモを手書きで入力することができる。そこで、乗員は、アイコン３１をタッチして、「ＡＢＣスーパー」についてのメモを入力するものとする。
【００１９】
アイコン３１をタッチすると、図４に示すように、表示モニタ１６にメモ入力画面４０が表示される。メモ入力画面４０は、手書きメモを入力するための入力画面である。
【００２０】
メモ入力画面４０は、登録地表示欄４１と、入力欄４２と、次へボタン４３と、止めるボタン４４とから構成される。登録地表示欄４１には、選択された登録地の名称が表示される。ここで、登録地の中から「ＡＢＣスーパー」が選択されたので、「ＡＢＣスーパー」という名称が登録地表示欄４１に表示される。入力欄４２は、入力する文字や図形などを描く領域であり、入力欄４２に指やタッチペンなどで押圧しながら文字や図形など線図を描くことによってメモを入力することができる。次へボタン４３は、次の過程へ進むためのボタンであり、止めるボタン４４は、メモ入力を止めるためのボタンである。ここで、乗員は、図４に示すように、入力欄４２に手書きで「月よう日安うり」と入力したものとする。
【００２１】
メモを入力欄４２に入力後、次へボタン４３を押圧すると、図５に示すように、メモ表示時期選択画面５０が表示される。メモ表示時期選択画面５０は、メモの表示時期を設定するための画面である。メモは、登録地のアイコン３１からの吹き出しで表示される。
【００２２】
メモ表示時期選択画面５０は、毎日ボタン５１、毎週ボタン５２、隔週ボタン５３、毎月ボタン５４、近くを通過ボタン５５、日付指定ボタン５６、次へボタン４３および戻るボタン５７から構成される。毎日ボタン５１は、メモが毎日表示されるように設定するためのボタンである。毎週ボタン５２は、メモが毎週、所定の曜日に表示されるように設定するためのボタンである。毎週ボタン５２をタッチすると、日曜日から土曜日の曜日が表示画面に表示され、希望の曜日を選択して毎週表示する曜日を設定する。隔週ボタン５３は、メモが隔週、所定の曜日に表示されるように設定するためのボタンである。隔週ボタン５３をタッチすると、日曜日から土曜日の曜日が表示画面に表示され、希望の曜日を選択して隔週表示する曜日を設定する。
【００２３】
毎月ボタン５４は、メモが毎月、所定の日に表示されるように設定するためのボタンである。毎月ボタン５４をタッチすると、１日から３１日までの日が表示画面に表示され、希望する日を選択して毎月表示する日を設定する。近くを通過ボタン５５は、メモに関連付けられた登録地から所定距離内を車両が通過するときに、メモが表示されるように設定するためのボタンである。日付指定ボタン５６は、指定した日付にメモが表示されるように設定するためのボタンである。日付指定ボタン５６をタッチすると、１月から１２月までの月と、１日から３１日までの日とが表示画面に表示され、希望する月日を選択して表示する日付を設定する。戻るボタン５７は、一つ前の過程へ戻るためのボタンである。
【００２４】
「ＡＢＣスーパー」が毎週月曜日に安売りをしているという情報は、毎週月曜日に表示すればよいので、乗員は毎週ボタン５２をタッチして選択したものとする。
【００２５】
毎週ボタン５２をタッチした後、次へボタン４３を押圧すると、図６に示すように、曜日選択画面６０が表示される。曜日選択画面６０は、メモを表示する曜日を設定するための画面である。曜日選択画面６０には、日曜日から土曜日までの曜日が表示されており、表示された曜日をタッチすると、タッチした曜日が毎週メモを表示する曜日として選択される。そして、曜日選択画面６０に表示されている終了ボタン６１をタッチすると、選択した曜日がメモを表示する曜日として設定され、メモ入力操作およびメモ表示時期設定操作は終了する。
【００２６】
上述したように、「ＡＢＣスーパー」が毎週月曜日に安売りをしているという情報は、毎週月曜日に表示すればよいので、図６に示すように乗員は月曜日をタッチして選択し、終了ボタン６１を押圧したものとする。
【００２７】
以上のように、メモ入力操作およびメモ表示時期設定操作を行うと、図７に示すように、毎週月曜日になると、「ＡＢＣスーパー」のアイコン３１から吹き出しで入力したメモ７１が表示される。ここで、メモ７１は、手書き文字の状態で「月よう日安うり」と表示される。したがって、図７に示すように、月曜日に「ＡＢＣスーパー」の近くを通過して、表示モニタ１６に「ＡＢＣスーパー」の周辺の道路地図２０が表示されると、アイコン３１から吹き出しで表示されているメモ７１が目に入り、「ＡＢＣスーパー」が安売りしていることに気づくことができる。ここで、符号７２は自車位置マークを示す。一方、月曜日以外の曜日、つまり、「ＡＢＣスーパー」が安売りしていない曜日については、「ＡＢＣスーパー」の近くを通過してもメモは表示されないので、不必要なメモによって道路地図２０が見えにくくなるという目障りな状態を防止できる。
【００２８】
次に、本発明の実施形態のナビゲーション装置１におけるメモ入力処理およびメモ表示時期設定処理について、図８のフローチャートを参照して説明する。図８の処理は、表示モニタ１６にメモ入力画面４０が表示されるとスタートするプログラムにより、制御回路１１において実行される。
【００２９】
ステップＳ８０１では、押圧されたアイコン３１に係る登録地の情報をデータ記憶部１１０に記憶する。ステップＳ８０２では、メモ入力画面４０の入力欄４２が押圧されたか判定する。押圧された場合はステップＳ８０２が肯定判定され、ステップＳ８０３へ進む。押圧されていない場合はステップＳ８０２が否定判定され、ステップＳ８０４へ進む。ステップＳ８０３では、押圧位置を塗りつぶしたりして描画する。そして、ステップＳ８０２へ戻る。
【００３０】
ステップＳ８０４では、次へボタン４３が押圧されたか判定する。押圧された場合はステップＳ８０４が肯定判定され、ステップＳ８０５へ進む。押圧されていない場合はステップＳ８０４が否定判定され、ステップＳ８０２へ戻る。ステップＳ８０５では、入力欄内の画像を画像データとして、データ記憶部１１０に記憶する。このとき、この画像データを、押圧されたアイコン３１に係る登録地と関連付けて記憶する。
【００３１】
ステップＳ８０６では、メモ表示時期選択画面５０からメモの表示時期が設定されたか判定する。設定された場合はステップＳ８０６が肯定判定され、ステップＳ８０７へ進む。設定されていない場合はステップＳ８０６を繰り返す。ステップＳ８０７では、メモの表示時期の情報をデータ記憶部１１０に記憶する。このとき、この表示時期の情報を、押圧されたアイコン３１に係る登録地と関連付けて記憶する。そして、メモ入力処理およびメモ表示時期設定処理を終了する。
【００３２】
次に、本発明の実施形態のナビゲーション装置１におけるメモ表示処理について、図９のフローチャートを参照して説明する。図９の処理は、表示モニタ１６に道路地図３０が表示されるとスタートするプログラムにより、制御回路１１において実行される。
【００３３】
ステップＳ９０１では、カレンダ付きタイマ１１ａより検出した現在の日付および時間をデータ記憶部１１０に記憶しているメモの表示時期データと照合して、現在の日付および時間がメモの表示時期に含まれているか判定する。表示時期に含まれている場合はステップＳ９０２が肯定判定され、ステップＳ９０２へ進む。表示時期に含まれていない場合はステップＳ９０１が否定判定され、ステップＳ９０５へ進む。
【００３４】
ステップＳ９０２では、メモの表示時期になっている登録地のアイコン３１が表示モニタ１６に表示された道路地図上に表示されているか判定する。表示されている場合はステップＳ９０２が肯定判定され、ステップＳ９０３へ進む。表示されていない場合はステップＳ９０２が否定判定され、ステップＳ９０５へ進む。
【００３５】
ステップＳ９０３では、アイコン３１に吹き出しを表示する。ステップＳ９０４では、吹き出し内に、関連付けられて記録されている画像データの画像を表示する。このようにして、吹き出し内にメモ７１を表示する。そして、ステップＳ９０１へ戻る。
【００３６】
ステップＳ９０５では、アイコン３１と一緒に表示する吹き出しおよび画像を非表示にする。つまり、メモの表示時期でない場合は、登録地のアイコン３１が道路地図上に表示されても、吹き出しおよび吹き出し内の画像を表示せず、メモの表示時期であっても、登録地のアイコン３１が道路地図上に表示されていなければ、吹き出しおよび吹き出し内の画像を表示しない。そして、ステップＳ９０１へ戻る。
【００３７】
以上の実施の形態によるナビゲーション装置１は次のような作用効果を奏する。
（１）入力したメモの表示時期を設定できるため、不必要な時にメモが表示されることによる目障りさを軽減することができる。
【００３８】
（２）手書きでメモを入力することができるので、簡単に文字を入力でき、乗員の利便性が向上する。
【００３９】
（３）登録地と、メモと、メモの表示時期とを関連付けて記憶するので、メモの表示時期から、その表示時期に係る登録地とメモとを速やかに抽出することができる。したがって、現在の曜日などに該当する表示時期の登録地のメモを速やかに表示できる。
【００４０】
（４）メモを登録地からの吹き出しで表示するので、メモが目立ち、メモの見落としを防止することができる。
【００４１】
（５）登録地のアイコンを押圧するだけで、メモを手書き入力するメモ入力画面４０を表示することができる。したがって、簡単に所望の登録地にメモを入力することができる。
【００４２】
（６）登録地から選択して、メモを入力する施設のアイコンを表示することができるので、簡単に、メモを入力したい施設のアイコンを表示画面に表示することができる。
【００４３】
（７）画像データの画像としてメモを表示するので、文字認識装置によって認識することのできない手書き文字も表示することができる。ナビゲーション装置１の設置位置の関係上、利き腕の反対の腕で文字を描くことがあり、このような場合、字体が崩れることが多いので、画像データの画像としてメモを表示する効果が大きい。
【００４４】
以上の実施の形態のナビゲーション装置１を次のように変形することができる。
（１）メモやメモの表示時期と関連付けて記憶する施設であれば登録地に限定されない。たとえば、以前に設定した目的地でもよい。
【００４５】
（２）メモは、メモ入力画面４０から入力したが、図７に示す吹き出しを表示させ、吹き出し内に直接、入力できるようにしてもよい。
【００４６】
（３）手書きで描いた文字をそのまま吹き出し内に表示したが、手書き文字を文字認識装置で文字認識させ、文字認識結果を吹き出し内に表示してもよい。手書き文字を画像データとして記憶するよりも、手書き文字を文字認識させ、文字データとして記憶する方が、データ容量が少なく、速やかにメモを吹き出し内に表示させることができる。また、きれいな文字で表示することができる。
【００４７】
（４）メモはアイコンからの吹き出しで表示されたが、メモと関係ある施設がわかり、メモが目立つ態様で表示されていれば、吹き出しの表示に限定されない。
【００４８】
（５）登録地のリストからメモを入力する施設を選択したが、最近設定した目的地を表示し、その表示した目的地からメモを入力する施設を選択するようにしてもよい。設定した目的地の中には繰り返し行く施設があり、以前設定した目的地から選択できるようにすると、このような施設のアイコンを簡単に表示できるからである。
【００４９】
（６）メモの表示時期にのみ、そのメモを付加した登録地のアイコン３１を表示するようにしてもよい。また、自宅から近い登録地については常時アイコンを表示し、自宅から遠い場合は、メモの表示時期にのみ、登録地のアイコン３１を表示するようにしてもよい。メモの表示時期以外は、登録地のアイコン３１の表示は不要である場合があるので、このような場合、不要なアイコンが表示されず、道路地図２０が見やすくなる。
【００５０】
（７）メモの表示時期を曜日や日付によって設定したが、時間や分単位で設定するようにしてもよい。たとえば、午前１０時３０分から午後３時１５分の間、メモを表示するようにしてもよい。メモの表示時期を時間や分単位で設定することによって、特売日のみならず、タイムサービスにも対応でき、乗員の利便性は向上する。
【００５１】
（８）メモの入力はタッチパネル１８による入力に限定されない。たとえば、入力装置１７など操作キーを有するキー入力装置によってメモをキー入力してもよい。不必要な時にキー入力されたメモが表示されることによる目障りさを軽減することができる。
【００５２】
（９）メモは表示モニタ１６に表示されたが、音声によって出力されるようにしてもよい。音声によってメモが出力されるようにすれば、さらにメモの見落としが少なくなる。
【００５３】
（１０）メモを入力した後、メモと関連付けて記憶する施設を選択するようにしてもよい。
【００５４】
（１１）手書き文字が入力できる地図表示装置であれば、ナビゲーション装置１に限定されない。たとえば、地図表示することのできる携帯端末機やＰＤＡ、あるいはパーソナルコンピュータでもよい。
【００５５】
本発明は、地図を表示する表示モニタと、メモを入力する入力手段と、施設を選択する施設選択手段と、入力手段によって入力したメモの表示を開始して終了する時期を設定する表示時期設定手段と、表示時期設定手段によって設定した表示時期に、表示モニタに表示した地図上に施設選択手段によって選択した施設が表示されると、入力手段によって入力したメモを表示する表示制御手段とを備える構成を有していれば、以上説明した実施の形態になんら限定されない。
【００５６】
特許請求の範囲の要素と実施の形態との対応関係を説明する。
本発明の入力手段、施設選択手段および表示時期設定手段は、制御回路１１およびタッチパネル１８、または制御回路１１および入力装置１７に対応する。表示制御手段は制御回路１１および表示モニタ１６に対応し、記憶手段は制御回路１１およびデータ記憶部１１０に対応する。なお、以上の説明はあくまで一例であり、発明を解釈する上で、上記の実施形態の構成要素と本発明の構成要素との対応関係になんら限定されるものではない。
【図面の簡単な説明】
【００５７】
【図１】本発明の実施形態のナビゲーション装置の構成を示すブロック図である。
【図２】登録地リストからメモを入力する登録地を選択する操作を説明するための図である。
【図３】登録地のアイコンからメモ入力する操作を説明するための図である。
【図４】メモ入力画面を説明するための図である。
【図５】メモ表示時期選択画面を説明するための図である。
【図６】曜日選択画面を説明するための図である。
【図７】入力したメモの表示を説明するための図である。
【図８】メモ入力処理およびメモ表示時期設定処理を説明するためのフローチャートである。
【図９】メモ表示処理を説明するためのフローチャートである。
【符号の説明】
【００５８】
１  ナビゲーション装置
１１  制御回路
１１ａ  カレンダ付きタイマ
１６  表示モニタ
１８  タッチパネル
１９  タッチパネルコントロール部
２０  道路地図
２１  登録地リスト
３１  アイコン
４０  メモ入力画面
５０  メモ表示時期選択画面
６０  曜日選択画面
７１  メモ
１１０  データ記憶部
【図１】
2007156285.tif 000003
【図２】
2007156285.tif 000004
【図３】
2007156285.tif 000005
【図４】
2007156285.tif 000006
【図５】
2007156285.tif 000007
【図６】
2007156285.tif 000008
【図７】
2007156285.tif 000009
【図８】
2007156285.tif 000010
【図９】
2007156285.tif 000011